(57)【要約】【課題】取り出す画像範囲に制約がない画像表示装置を提供する。【解決手段】分割されていない画像データ、キーワード、及びキーワードに関係する画像部分の範囲を含む図６に示すようなデータ構造の一つの画像ファイルに基づいて画像を表示する画像表示装置であって、ユーザにキーワードの入力を促し入力結果にしたがってキーワードを選択するキーワード選択手段と、前記キーワード選択手段がキーワードを選択した場合に前記キーワード選択手段によって選択されたキーワードに対応する画像部分の範囲を表示する表示手段と、　を備える画像表示装置。【選択図】　　　図６
2004133238.tif 000002
【特許請求の範囲】
【請求項１】
画像データ、キーワード、及び該キーワードに関係する画像部分の範囲を含む一つの画像ファイルに基づいて画像を表示する画像表示装置であって、
キーワードを選択するキーワード選択手段と、
前記キーワード選択手段がキーワードを選択した場合に前記キーワード選択手段によって選択されたキーワードに対応する画像部分の範囲を表示する表示手段と、
を備えることを特徴とする画像表示装置。
【請求項２】
前記一つの画像ファイルが前記キーワードに関係する画像部分の範囲の向きを示す情報を含み、
前記表示手段が、前記キーワード選択手段がキーワードを選択した場合に前記キーワード選択手段によって選択されたキーワードに対応する画像部分の範囲を前記キーワードに関係する画像部分の範囲の向きを示す情報に従って補正して表示する請求項１に記載の画像表示装置。
【請求項３】
前記一つの画像ファイルが前記キーワードに関係する画像部分の加工情報及び／又は補助情報を含み、
前記表示手段が、前記キーワード選択手段がキーワードを選択した場合に前記キーワード選択手段によって選択されたキーワードに対応する画像部分の範囲を少なくとも前記キーワードに関係する画像部分の加工情報及び／又は補助情報に従って補正して表示する請求項１又は請求項２に記載の画像表示装置。
【請求項４】
前記キーワード選択手段が複数のキーワードを選択した場合に前記キーワード選択手段によって選択されたキーワードに対応する画像部分の範囲全てを一画面中に表示する請求項１〜３のいずれかに記載の画像表示装置。
【請求項５】
表示装置を備えたコンピュータを、キーワードを選択するキーワード選択手段、及び前記キーワード選択手段がキーワードを選択した場合に前記キーワード選択手段によって選択されたキーワードに対応する画像部分の範囲を表示する表示手段として機能させるための画像表示プログラム。
【請求項６】
画像データの中に含まれている特定の部分に対するキーワードを設定する手段と、
前記キーワードに関係する画像部分の範囲を設定する手段と、
前記画像データ、前記キーワード、及び前記キーワードに関係する画像部分の範囲を含む一つの画像ファイルを作成する手段と、
を備えることを特徴とする画像ファイル作成装置。
【請求項７】
前記キーワードに関係する画像部分の範囲の向きを示す情報を設定する手段を備え、
前記一つの画像ファイルが前記キーワードに関係する画像部分の範囲の向きを示す情報を含む請求項６に記載の画像ファイル作成装置。
【請求項８】
前記キーワードに関係する画像部分の範囲の加工情報及び／又は補助情報を設定する手段を備え、
前記一つの画像ファイルが前記キーワードに関係する画像部分の加工情報及び／又は補助情報を含む請求項６又は請求項７に記載の画像ファイル作成装置。
【請求項９】
コンピュータを、画像データの中に含まれている特定の部分に対するキーワードを設定する手段、前記キーワードに関係する画像部分の範囲を設定する手段、並びに前記画像データ、前記キーワード、及び前記キーワードに関係する画像部分の範囲を含む一つの画像ファイルを作成する手段として機能させるための画像ファイル作成プログラム。
【発明の詳細な説明】
【０００１】
【発明の属する技術分野】
本発明は、キーワードを用いて画像中の特定の部分を表示することができる画像表示装置に関する。
【０００２】
【従来の技術】
表示装置を具備する携帯機器（携帯電話や電子手帳等）では携帯性が重要な要素であるため、表示装置の画面サイズを大きくするのに限界がある。したがって画像を表示する画面の表示能力としては数百ドット×数百ドット程度が実質的に上限となってしまう。１ドットの物理的サイズを小さくすれば技術的にはおそらく数千ドット×数千ドットといったものやそれ以上のものも製作可能になると考えられるが、ポケットに入る寸法の携帯機器を前提とした場合には肉眼で認識できる分解能を越えたものとなるため実用的な表示としては上記の数百ドット×数百ドット程度での表現が必要となる。
【０００３】
このように限られたドット数で画像を表示するため、ほとんどの画像では元の画像を縮小して表示する必要があり、必然的に細部は見えなくなってしまう。したがって、細部を見るためには見たい部分を拡大して表示させる必要がある。たとえば図２４に示すような多くの人を一緒にデジタルカメラ等で撮影した場合に得られる集合写真のような画像の場合には、上述した携帯機器の表示画面では一人一人の顔まで一度に見るのは困難である。
【０００４】
しかし、一人一人を拡大して画面表示すればきちんと顔を見ることができる。この場合、画面を拡大して一人一人の顔を探していくか、誰がどこに写っているかというデータを予め用意しておいて誰それと指定することで自動的に画像の中からその人が写っている部分を拡大表示するかのいずれかの方法によって特定の人の顔を見ることができる。後者の方法のように人の名前というキーワードを使うことによって画像中の特定の部分を効率良く探し出して表示することができる。
【０００５】
このようにキーワードを用いて画像中の特定の部分を効率良く探し出して表示する画像検索装置が特許文献１に開示されている。特許文献１に開示されている画像検索装置は、原画像を複数の領域に分割し、それぞれの分割された領域に対してサブキーワードを設定している。そして、画像データをサブキーワードに対応した領域毎に独立したデータブロックとしている。すなわち、上記画像検索装置は、原画像を複数の画像の集合体とすることによって、画像全体を保存するとともに、特定のキーワード部分だけを効率良く取出して表示することを可能にしている。
【０００６】
【特許文献１】
特開平８−３０６４３号公報　（第３−４頁、第１図、第４図）
【０００７】
【発明が解決しようとする課題】
上記画像検索装置では確かにデータを部分的に取り出しやすくしているけれども、分割した範囲がひとかたまりの単位となり、分割画像範囲の重複が許されない。このため、図２４に示す画像を図２５に示すように分割し、図２６に示すような構成の画像ファイルを作成した場合、例えば猫田さんの尻尾の部分と熊沢さんとが重複していて一つの分割画像データになっているので、猫田さんを拡大表示する場合猫田さんの尻尾の部分が表示されないという問題が生じていた。一方、分割画像範囲の重複を許すような工夫をすると画像データも重複して冗長なデータ格納が必要となるという問題が生じる。
【０００８】
また、特定のサブキーワードで呼び出す必要のない部分（例えば図２５に示す画像内の背景▲１▼〜背景▲４▼）でも全体の画像を形成する一部分なので、適当なサブキーワードを用意して「つなぎ」のデータとして画像ファイルに埋め込んでおかなければならないといった制約がある。
【０００９】
本発明は、上記の問題点に鑑み、取り出す画像範囲に制約がない画像表示装置を提供することを目的とする。また、本発明に係る画像表示装置が取り扱う画像ファイルを作成する画像ファイル作成装置を提供することを目的とする。
【００１０】
【課題を解決するための手段】
上記目的を達成するために、本発明に係る画像表示装置は、画像データ、キーワード、及びキーワードに関係する画像部分の範囲を含む一つの画像ファイルに基づいて画像を表示する画像表示装置であって、キーワードを選択するキーワード選択手段と、前記キーワード選択手段がキーワードを選択した場合に前記キーワード選択手段によって選択されたキーワードに対応する画像部分の範囲を表示する表示手段と、を備える構成とする。
【００１１】
画像ファイルに含まれる画像データを分割しないので、各キーワードに対応する画像範囲の重複が許される。これにより、取り出す画像範囲に制約がない画像表示装置を実現することができる。本発明に係る画像表示装置は、画像表示機能を持った携帯電話、電子手帳や電子メール端末、電子辞書、インターネットビューア等の画面サイズや画面の分解能が比較的優れていない装置に好適である。
【００１２】
また、前記一つの画像ファイルが前記キーワードに関係する画像部分の範囲の向きを示す情報を含み、前記表示手段が、前記キーワード選択手段がキーワードを選択した場合に前記キーワード選択手段によって選択されたキーワードに対応する画像部分の範囲を前記キーワードに関係する画像部分の範囲の向きを示す情報に従って補正して表示するようにしてもよい。
【００１３】
これにより、表示すべきデータが正立した向きで画像中に含まれていない場合でも表示すべきデータを正立した向きに補正して表示することができるので、ユーザーにとって見やすい画面表示にすることができる。
【００１４】
また、前記一つの画像ファイルが前記キーワードに関係する画像部分の加工情報及び／又は補助情報を含み、前記表示手段が、前記キーワード選択手段がキーワードを選択した場合に前記キーワード選択手段によって選択されたキーワードに対応する画像部分の範囲を少なくとも前記キーワードに関係する画像部分の加工情報及び／又は補助情報に従って補正して表示するようにしてもよい。
【００１５】
これにより、例えば明度が低い部分でも加工情報に基づいた明るさに補正してから拡大表示することが可能になるので、ユーザーにとって見やすい画面表示にすることができる。
【００１６】
また、前記キーワード選択手段が複数のキーワードを選択した場合に前記キーワード選択手段によって選択されたキーワードに対応する画像部分の範囲全てを一画面中に表示するようにしてもよい。
【００１７】
これにより、複数の特定部分を拡大して一度に画面表示することができる。
【００１８】
本発明に係る画像表示プログラムは、表示装置を備えたコンピュータを、キーワードを選択するキーワード選択手段、及び前記キーワード選択手段がキーワードを選択した場合に前記キーワード選択手段によって選択されたキーワードに対応する画像部分の範囲を表示する表示手段として機能させる。
【００１９】
このような画像表示プログラムによってコンピュータを動作させることで、当該コンピュータが上記画像表示装置と同様の効果を奏する。
【００２０】
本発明に係る画像ファイル作成装置は、画像データの中に含まれている特定の部分に対するキーワードを設定する手段と、前記キーワードに関係する画像部分の範囲を設定する手段と、前記画像データ、前記キーワード、及び前記キーワードに関係する画像部分の範囲を含む一つの画像ファイルを作成する手段と、を備える構成にする。また、前記キーワードに関係する画像部分の範囲の向きを示す情報を設定する手段を備え、前記一つの画像ファイルが前記キーワードに関係する画像部分の範囲の向きを示す情報を含むようにしてもよい。また、前記キーワードに関係する画像部分の範囲の加工情報及び／又は補助情報を設定する手段を備え、前記一つの画像ファイルが前記キーワードに関係する画像部分の加工情報及び／又は補助情報を含むようにしてもよい。
【００２１】
これにより、上記画像表示装置が取り扱う画像ファイルを作成することができる。
【００２２】
本発明に係る画像ファイル作成プログラムは、コンピュータを、画像データの中に含まれている特定の部分に対するキーワードを設定する手段、前記キーワードに関係する画像部分の範囲を設定する手段、並びに前記画像データ、前記キーワード、及び前記キーワードに関係する画像部分の範囲を含む一つの画像ファイルを作成する手段として機能させる。
【００２３】
このような画像ファイル作成プログラムによってコンピュータを動作させることで、当該コンピュータが上記画像表示装置と同様の効果を奏する。
【００２４】
【発明の実施の形態】
以下に本発明の一実施形態について図面を参照して説明する。
【００２５】
まず、本発明の第一実施形態について説明する。本発明に係る画像ファイル作成装置の回路ブロック図を図４に示す。図４に示す画像ファイル作成装置１１は、画像ファイル作成装置全体を制御するＣＰＵ（Ｃｅｎｔｒａｌ　Ｐｒｏｃｅｓｓｏｒ　Ｕｎｉｔ）１２と、キーボード等のキー入力装置及びマウス等のポインティングデバイスを有する入力装置１３と、データを格納するデータメモリ１４と、ＣＰＵ１２に画像ファイル作成動作をさせるためのプログラムを格納するプログラムメモリ１５と、表示装置１６と、記録メディアインターフェース１７と、所定の電圧をＣＰＵ１２に供給する電源制御装置１８と、外部機器インターフェース１９とを備える。そして、記録メディアインターフェース１７に画像データが格納されている記録メディア２０が接続され、外部機器メディアインターフェース１９に後述する本発明に係る画像表示装置１が接続される。本実施形態では記録メディ２０に格納されている画像データが図２４に示す画像であるものとする。また、記録メディア２０には、マスクＲＯＭ、フラッシュメモリ等のメモリ素子、又は該メモリ素子を用いたコンパクトフラッシュ（登録商標）、スマートメディア（登録商標）、ＳＤカード（登録商標）等を用いるとよい。また、記録メディア２０には、半導体メモリではなくＭＯ（光磁気ディスク）、ハードディスク、フロッピー（Ｒ）ディスク、ＣＤ、ＣＤ−Ｒ等の物理デバイスを用いても構わない。
【００２６】
続いて図４の画像ファイル作成装置の動作について図４の回路ブロック図及び図５のフローチャートを参照して説明する。画像ファイルの作成動作が開始されると、記録メディア２０に格納されている画像データが入力され、記録メディアインターフェース１７を介してデータメモリ１４に送られる（ステップＳ２１０）。
【００２７】
そしてキーワードの入力を促すメッセージを表示装置１６が表示し、ユーザのキー操作によってキーワードが入力されると、その入力されたキーワードをデータメモリ１４に格納する（ステップＳ２２０）。更にキーワードに対応する画像範囲の入力を促すメッセージを表示装置１６が表示し、ユーザの操作によってキーワードに対応する画像範囲が入力されると、その入力された画像範囲をステップＳ２２０において入力されたキーワードと関連づけて画像データ管理部とし、その画像データ管理部を画像データに付加して画像ファイルを作成し、作成した画像ファイルをデータメモリ１４に保存する（ステップＳ２３０）。
【００２８】
そして、画像ファイルの作成を終了するかを問うメッセージを表示装置１６が表示し、ユーザの操作によって入力されたコマンドが画像ファイルの作成を終了するコマンドであるかを判定する（ステップＳ２４０）。画像ファイルの作成を終了するコマンドでなければ（ステップＳ２４０のＮｏ）、ステップＳ２２０に移行する。一方、画像ファイルの作成を終了するコマンドであれば（ステップＳ２４０のＹｅｓ）、フローを終了する。なお、画像ファイル作成装置１１は作成した画像ファイルを画像表示装置１に外部機器インターフェース１９を介して送ることができる。また、画像ファイル作成装置１１は作成した画像ファイルを記録メディア２０に記録メディアインターフェース１７を介して書き込むこともできる。また、プログラムメモリ１５に格納されるプログラムは、記録メディア２０に格納されているプログラムを画像ファイル作成装置１１が読み込んだものであってもよい。
【００２９】
画像ファイル作成装置１１によって作成された画像ファイルのデータ構造の一例を図６に示す。各キーワードに対応する画像範囲は図７に示す各枠線内になる。なお、この例では画像の範囲を四角形で囲まれた範囲で定義しているが、四角形以外の形状の範囲としても構わない。
【００３０】
画像ファイル作成装置１１は、必ずしも特別な専用装置にする必要はなく、一般のパーソナルコンピュータに図４のフローチャートの動作させるためのプログラムをインストールすることによって実現することができる。
【００３１】
続いて本発明に係る画像表示装置の回路ブロック図を図１に示す。画像表示装置１は、画像表示装置全体を制御するＣＰＵ２と、キーボードやタッチパネル等の入力装置３と、データを格納するデータメモリ４と、ＣＰＵ２に画像表示動作をさせるためのプログラムを格納するプログラムメモリ５と、表示画面の解像度が数百ドット×数百ドットである表示装置６と、記録メディアインターフェース７と、所定の電圧をＣＰＵ２に供給する電源制御装置８と、外部機器インターフェース９とを備える。このような構成の画像表示装置は、携帯電話や電子手帳等の携帯機器に適用することができる。そして、外部機器インターフェース９に上述した本発明に係る画像ファイル作成装置１１が接続される。画像表示装置１は画像ファイル作成装置１１から図６に示す構造の画像ファイルを受け取り、その画像ファイルをデータメモリ４に保存する。
【００３２】
なお、プログラムメモリ５に格納されるプログラムは、記録メディア１０に格納されているプログラムを画像表示装置１が読み込んだものであってもよい。また、画像ファイル作成装置１１が作成した画像ファイルを格納した記録メディア１０から画像表示装置１が画像ファイルを読み込むようにしてもよい。そして、記録メディア１０には、マスクＲＯＭ、フラッシュメモリ等のメモリ素子、又は該メモリ素子を用いたコンパクトフラッシュ（登録商標）、スマートメディア（登録商標）、ＳＤカード（登録商標）等を用いるとよい。また、記録メディア１０には、半導体メモリではなくＭＯ（光磁気ディスク）、ハードディスク、フロッピー（Ｒ）ディスク、ＣＤ、ＣＤ−Ｒ等の物理デバイスを用いても構わない。
【００３３】
画像表示装置１の動作について図１の回路ブロック図及び図２のフローチャートを参照して説明する。画像表示動作が開始されると、データメモリ４に格納されている画像ファイルに含まれる画像全体を表示装置６に表示する（ステップＳ１０）。このときの画像表示装置１の正面図を図３（ａ）に示す。図３（ａ）から明らかなように画像の全体のイメージは分かるが一人一人を識別することはできない。
【００３４】
次に、ユーザ操作によってキーワードインデックス表示の要求があるかを判定する（ステップＳ２０）。キーワードインデックス表示の要求があれば（ステップＳ２０のＹｅｓ）、ステップＳ３０に移行する。
【００３５】
ステップＳ３０では、画像ファイル中に埋め込まれているキーワードをリストアップする。そして、ステップＳ４０では、ステップＳ３０において抽出されたキーワードを表示装置６にインデックス表示する。
【００３６】
ステップＳ５０ではユーザ操作によってキーワードが選択されているかを判定する。キーワードが選択されていれば（ステップＳ５０のＹｅｓ）、ステップＳ６０に移行する。「猫田さん」というキーワードが選択されたときの画像表示装置１の正面図を図３（ｂ）に示す。
【００３７】
ステップＳ６０では、選択されたキーワードに対応する画像範囲のデータに基づいて画面に表示する範囲を計算する。例えば、選択されたキーワードに対応する画像範囲のデータのドット数が表示画面のドット数より多い場合は、選択されたキーワードに対応する画像範囲のデータからデータを間引いて画面に表示する範囲とする。
【００３８】
ステップＳ７０では、全体の画像データから画面に表示する範囲を切り出して、画面に表示する。このときの画像表示装置１の正面図を図３（ｃ）に示す。そして、画像表示動作を終了する。
【００３９】
例えば猫田さんを表示する場合、上述した特許文献１に開示されている画像検索装置では猫田さんの尻尾が切れてしまった状態で表示されていたが、本発明に係る画像ファイル作成装置が作成する画像ファイルでは複数の画像範囲を示す情報が特定の画像範囲を重複して指定することができるため、例えば猫田さんを表示する場合に図３（ｃ）に示すように尻尾まで切れずに表示をすることができる。
【００４０】
また、図２４の画像内の７人が左側の３人のＡグループと右側４人のＢグループ二つの仲良しグループだったとすると、それぞれのグループをひとまとめにした範囲のデータを設定しておくことでそれぞれのグループを簡単に表示することができる。このイメージを図８に示す。なお、この例では画像の範囲を四角形で囲まれた範囲で定義しているが、四角形以外の形状の範囲としても構わない。個人名とグループ名をキーワードに場合の画像ファイルの構造を図９に示す。
【００４１】
画像ファイルが図９に示す構造である場合、ある特定の人の画像についてみてみると個人名とグループ名のそれぞれから呼び出されることになる。このように範囲を指定するデータだけを追加していくことで、ひとつの画像をいろいろな切り口から表示することができるようになる。なお、上述した特許文献１に開示されている画像検索装置では、分割の仕方によって表示できる拡大画像が自動的に定まってしまうので、本発明に係る画像表示装置のようにひとつの画像をいろいろな切り口から表示することはできない。
【００４２】
次に、本発明の第二実施形態について説明する。画像ファイル作成装置及び画像表示装置の回路構成は第一実施形態と同様である。本実施形態では記録メディア２０に格納されている画像データが図１０に示す画像であるものとする。
【００４３】
また、本実施形態では図４の画像ファイル作成装置が図１３に示すフローチャートのように動作する。なお、図１３において図５と同一のステップには同一の符号を付し、説明を省略する。図１３のフローチャートが図５のフローチャートと異なる点は、ステップ２３０とステップＳ２４０との間にステップＳ２３２を設けた点である。ステップＳ２３２では、キーワードに対応する向きを示すデータの入力を促すメッセージを表示装置１６が表示し、ユーザの操作によってキーワードに対応する向きを示すデータが入力されると、その入力された向きを示すデータをステップＳ２２０において入力されたキーワード及びステップＳ２３０において入力された画像範囲と関連づけて画像データ管理部とし、その画像データ管理部を画像データに付加して画像ファイルを作成し、その作成した画像ファイルをデータメモリ１４に保存する。
【００４４】
図１０の画像データを元にして画像ファイル作成装置１１が作成する画像ファイルの構造を図１４に示す。そして、各キーワードに対応する画像範囲は図１５に示す各枠線内になる。なお、この例では画像の範囲を四角形で囲まれた範囲で定義しているが、四角形以外の形状の範囲としても構わない。
【００４５】
また、本実施形態では図１の画像表示装置が図１１に示すフローチャートのように動作する。なお、図１１において図２と同一のステップには同一の符号を付す。画像表示動作が開始されると、データメモリ４に格納されている画像ファイルに含まれる画像全体を表示装置６に表示する（ステップＳ１０）。
【００４６】
次に、ユーザ操作によってキーワードインデックス表示の要求があるかを判定する（ステップＳ２０）。キーワードインデックス表示の要求があれば（ステップＳ２０のＹｅｓ）、ステップＳ３０に移行する。
【００４７】
ステップＳ３０では、画像ファイル中に埋め込まれているキーワードをリストアップする。
【００４８】
そして、ステップＳ４０では、ステップＳ３０において抽出されたキーワードを表示装置６にインデックス表示する。
【００４９】
ステップＳ５０ではユーザ操作によってキーワードが選択されているかを判定する。キーワードが選択されていれば（ステップＳ５０のＹｅｓ）、ステップＳ８０に移行する。「熊沢さん」というキーワードが選択されたときの画像表示装置１の正面図を図１２（ａ）に示す。
【００５０】
ステップＳ８０では、選択されたキーワードに対応する画像の向きデータをチェックし、補正が必要か否かを調査する。なお、画像の向きデータが０度以外の場合補正が必要であり、画像の向きデータが０度の場合補正が不要である。
【００５１】
ステップＳ９０では、選択されたキーワードに対応する画像範囲に基づいて画面に表示する範囲を計算する。また、画像の向きの修正が必要な場合はその分を補正して画面に表示する範囲を計算する。例えば、画像の向きデータが２７０度の場合、選択されたキーワードに対応する画像範囲の水平方向ドット数と垂直方向ドット数とを入れ替える補正を行ったのち画面に表示する範囲を計算する。
【００５２】
ステップＳ１００では、全体の画像データから画面に表示する範囲を切り出して画像データを生成する。また、画像の向きの修正が必要な場合は表示の向きを修正した画像データを生成する。
【００５３】
そして、ステップＳ１１０では、ステップＳ１００において生成した画像データを表示装置の画面に表示する。このときの画像表示装置１の正面図を図１２（ｂ）に示す。そして、画像表示動作を終了する。
【００５４】
第一実施形態では単純にキーワードに対する範囲を画面に表示するので、「熊沢さん」というキーワードを選択すると、図１２（ｃ）のような画像の上下がひっくりかえった表示になってしまう。これに対して、本実施形態では表示すべきデータが正立した向きで画像中に含まれていない場合でも表示すべきデータを正立した向きに補正して表示することができるので、ユーザーにとって見やすい画面表示にすることができる。
【００５５】
次に、本発明の第三実施形態について説明する。画像ファイル作成装置及び画像表示装置の回路構成は第一実施形態及び第二実施形態と同様である。本実施形態では記録メディ２０に格納されている画像データが図１６に示す画像であるものとする。
【００５６】
また、本実施形態では図４の画像ファイル作成装置が図１９に示すフローチャートのように動作する。なお、図１９において図１３と同一のステップには同一の符号を付し、説明を省略する。図１９のフローチャートが図１３のフローチャートと異なる点は、ステップ２３２とステップＳ２４０との間にステップＳ２３４を設けた点である。ステップＳ２３４では、キーワードに対応する加工情報を示すデータの入力を促すメッセージを表示装置１６が表示し、ユーザの操作によってキーワードに対応する加工情報を示すデータが入力されると、その入力された加工情報を示すデータを、ステップＳ２２０において入力されたキーワード、ステップＳ２３０において入力された画像範囲、及びステップＳ２３２において入力された画像の向きを示すデータと関連づけて画像データ管理部とし、その画像データ管理部を画像データに付加して画像ファイルを作成し、その作成した画像ファイルをデータメモリ１４に保存する。
【００５７】
図１６の画像データを元にして画像ファイル作成装置１１が作成する画像ファイルの構造を図２０に示す。
【００５８】
また、本実施形態では図１の画像表示装置が図１７に示すフローチャートのように動作する。なお、図１７において図１１と同一のステップには同一の符号を付す。画像表示動作が開始されると、データメモリ４に格納されている画像ファイルに含まれる画像全体を表示装置６に表示する（ステップＳ１０）。
【００５９】
次に、ユーザ操作によってキーワードインデックス表示の要求があるかを判定する（ステップＳ２０）。キーワードインデックス表示の要求があれば（ステップＳ２０のＹｅｓ）、ステップＳ３０に移行する。ステップＳ３０では、画像ファイル中に埋め込まれているキーワードをリストアップする。
【００６０】
そして、ステップＳ４０では、ステップＳ３０において抽出されたキーワードを表示装置６にインデックス表示する。
【００６１】
ステップＳ５０ではユーザ操作によってキーワードが選択されているかを判定する。キーワードが選択されていれば（ステップＳ５０のＹｅｓ）、ステップＳ８０に移行する。「鴨田さん」というキーワードが選択されたときの画像表示装置１の正面図を図１８（ａ）に示す。
【００６２】
ステップＳ８０では、選択されたキーワードに対応する画像の向きデータをチェックし、補正が必要か否かを調査する。なお、画像の向きデータが０度以外の場合補正が必要であり、画像の向きデータが０度の場合補正が必要でない。
【００６３】
ステップＳ９０では、選択されたキーワードに対応する画像範囲に基づいて画面に表示する範囲を計算する。また、画像の向きの修正が必要な場合はその分を補正して画面に表示する範囲を計算する。例えば、画像の向きデータが２７０度の場合、選択されたキーワードに対応する画像範囲の水平方向ドット数と垂直方向ドット数とを入れ替える補正を行った後画面に表示する範囲を計算する。
【００６４】
ステップＳ１００では、全体の画像データから画面に表示する範囲を切り出して画像データを生成する。また、画像の向きの修正が必要な場合は表示の向きを修正した画像データを生成する。
【００６５】
ステップＳ１０５では、加工情報をチェックし、加工による修正が必要な場合はステップＳ１００において生成した画像データに対して加工情報に基づいた修正を行う。なお、加工情報の内容が「露光が±０且つコントラスト＋０段」である場合は加工による修正が不要であり、それ以外の場合は加工による修正が必要である。
【００６６】
そして、ステップＳ１１０では、画像データを表示装置の画面に表示する。このときの画像表示装置１の正面図を図１８（ｂ）に示す。そして、画像表示動作を終了する。
【００６７】
第二実施形態では明度が低い部分でもそのまま拡大して画面に表示するので、「鴨田さん」というキーワードを選択すると、図１８（ｃ）に示すように表示画像が暗くなり、あまりはっきり見えない。これに対して、本実施形態では明度が低い部分でも加工情報に基づいた明るさに補正してから拡大表示するので、ユーザーにとって見やすい画面表示にすることができる。なお、本実施形態では加工情報の対象を明度としているが、コントラストの調整や色かぶり等を加工情報の対象としてもよい。
【００６８】
また、画像ファイル作成装置が、画像データ管理部に補助情報を含む構成の画像データを作成するようにしてもよい。例えば、図４の画像ファイル作成装置が、図２２（ａ）に示すような星空の画像データを元にして画像データ管理部に図２２（ｂ）に示すような星座の形を示す線のデータの補助情報を含む構成の画像ファイルを作成する。このように作成した画像ファイルの構造を図２１に示す。そして、図１の画像表示装置において「オリオン座写真」と「補助情報」の二つのキーワードが選択された場合、図１の画像表示装置は図２２（ａ）に示すような星空の画像データからオリオン座の画像範囲を切り出して、その切り出した画像データに図２２（ｂ）に示す補助データを埋め込み、図２２（ｃ）に示すような画像を表示装置６に表示する。なお、図２２（ｂ）に示す補助データは画像データもしくはラスタデータ等にするとよい。これにより、例えば星座の学習の補助に使うといったアプリケーションが可能になる。
【００６９】
ここでは補助線の表示として説明したが、画像を表示処理するソフトウエア側にその他いろいろな機能を持たせておけば、画像中に対応したコマンドを埋め込む方法を取り決めておくことで多くの機能を持たせることや新たに機能を拡張することも可能である。
【００７０】
次に、本発明の第四実施形態について説明する。第四実施形態が上述した第一実施形態と異なる点は、複数のキーワードが選択されることである。画像ファイル作成装置と画像表示装置の構成や動作は基本的に第一実施形態と同様である。ここでは、「権三さん」と「鴨田さん」の二つのキーワードが選択された場合について説明する。したがって、図２のステップＳ５０でキーワードが選択されたときの画像表示装置の正面図は図２３（ａ）に示すようになる。
【００７１】
図２のステップＳ６０では、選択されたキーワードに対応する画像範囲のデータに基づいて画面に表示する範囲を計算する。この例では、「権三さん」というキーワードに対応する画像範囲のデータのドット数が表示画面の左半分のドット数より多い場合は、「権三さん」というキーワードに対応する画像範囲のデータからデータを間引いて画面に表示する範囲とし、「鴨田さん」というキーワードに対応する画像範囲のデータのドット数が表示画面の右半分のドット数より多い場合は、「鴨田さん」というキーワードに対応する画像範囲のデータからデータを間引いて画面に表示する範囲とする。
【００７２】
また、図２のステップＳ７０において、全体の画像データから画面に表示する範囲を切り出して、画面に表示する。この例では、全体の画像データから「権三さん」というキーワードに対応する画面に表示する範囲及び「鴨田さん」というキーワードに対応する画面に表示する範囲を切り出して、「権三さん」というキーワードに対応する画面に表示する範囲を画面の左半分に表示し、「鴨田さん」というキーワードに対応する画面に表示する範囲を画面の右半分に表示する。そして、画像表示動作を終了する。
【００７３】
上記動作を行うことによって、図２のステップＳ７０終了時における画像表示装置の正面図は図２３（ｂ）に示すようになる。本実施形態では単純に指定されたものをそれぞれが画面の中でできるだけ大きく表示するので、図２４に示す元の画像データでは鴨田さんの方が権三さんより背が低いが、図２３（ｂ）の画面では同じ背丈であるかのように表示される。
【００７４】
複数のキーワードが選択された場合の表示方法は、本実施形態の他にも、表示の大きさや順番・レイアウト等についていろいろと考えられ、それをユーザーに指定（入力）させる方法やあるルールを定めて自動的に配置するなど目的に応じて設定することが想定される。元の画像データにおける人物の大きさの比率を保持して表示させてもよく、また表示画像が正位でないままのデータで表示しても構わない。
【００７５】
なお、本発明に係る画像ファイル作成装置によって作成される画像ファイルに含まれる画像データは、特許文献１に開示された画像検索装置が作成する画像データとは異なり、分割されず画像全体で一つの画像データとなっている。
【００７６】
【発明の効果】
本発明によると、取り出す画像範囲に制約がない画像表示装置を実現することができる。
【図面の簡単な説明】
【図１】本発明に係る画像表示装置の回路ブロック図である。
【図２】第一実施形態における図１の画像表示装置の動作を示すフローチャートである。
【図３】第一実施形態における図１の画像表示装置の正面図である。
【図４】本発明に係る画像ファイル作成装置の回路ブロック図である。
【図５】第一実施形態における図４の画像ファイル作成装置の動作を示すフローチャートである。
【図６】第一実施形態において図４の画像ファイル作成装置が作成する画像ファイルの構造を示す図である。
【図７】図６の画像ファイルの各キーワードに対応する画像範囲を示す図である。
【図８】グループに対応する画像範囲を示す図である。
【図９】第一実施形態において図４の画像ファイル装置が作成する他の画像ファイルの構造を示す図である。
【図１０】第二実施形態において記録メディアに格納されている画像データを示す図である。
【図１１】第二実施形態における図１の画像表示装置の動作を示すフローチャートである。
【図１２】第二実施形態における図１の画像表示装置の正面図である。
【図１３】第二実施形態における図４の画像ファイル作成装置の動作を示すフローチャートである。
【図１４】第二実施形態において図４の画像ファイル作成装置が作成する画像ファイルの構造を示す図である。
【図１５】図１４の画像ファイルの各キーワードに対応する画像範囲を示す図である。
【図１６】第三実施形態において記録メディアに格納されている画像データを示す図である。
【図１７】第三実施形態における図１の画像表示装置の動作を示すフローチャートである。
【図１８】第三実施形態における図１の画像表示装置の正面図である。
【図１９】第三実施形態における図４の画像ファイル作成装置の動作を示すフローチャートである。
【図２０】第三実施形態において図４の画像ファイル作成装置が作成する画像ファイルの構造を示す図である。
【図２１】第三実施形態において図４の画像ファイル作成装置が作成する他の画像ファイルの構造を示す図である。
【図２２】図２１に示す構造の画像ファイルに含まれる画像データ及び補助情報と、図２１に示す構造の画像ファイルによって得られる表示画像を示す図である。
【図２３】第四実施形態における図１の画像表示装置の正面図である。
【図２４】画像データの一例を示す図である。
【図２５】従来の画像検索装置が分割した画像データのイメージを示す図である。
【図２６】従来の画像検索装置が扱う画像ファイルの構成を示す図である。
【符号の説明】
１　画像表示装置
２、１２　ＣＰＵ
３、１３　入力装置
４、１４　データメモリ
５、１５　プログラムメモリ
６、１６　表示装置
７、１７　記録メディアインターフェース
８、１８　電源制御装置
９、１９　外部機器インターフェース
１０　記録メディア
１１　画像ファイル作成装置
【図１】
2004133238.tif 000003
【図２】
2004133238.tif 000004
【図３】
2004133238.tif 000005
【図４】
2004133238.tif 000006
【図５】
2004133238.tif 000007
【図６】
2004133238.tif 000008
【図７】
2004133238.tif 000009
【図８】
2004133238.tif 000010
【図９】
2004133238.tif 000011
【図１０】
2004133238.tif 000012
【図１１】
2004133238.tif 000013
【図１２】
2004133238.tif 000014
【図１３】
2004133238.tif 000015
【図１４】
2004133238.tif 000016
【図１５】
2004133238.tif 000017
【図１６】
2004133238.tif 000018
【図１７】
2004133238.tif 000019
【図１８】
2004133238.tif 000020
【図１９】
2004133238.tif 000021
【図２０】
2004133238.tif 000022
【図２１】
2004133238.tif 000023
【図２２】
2004133238.tif 000024
【図２３】
2004133238.tif 000025
【図２４】
2004133238.tif 000026
【図２５】
2004133238.tif 000027
【図２６】
2004133238.tif 000028